(57)【特許請求の範囲】
【請求項１】
ケース本体およびその外周に装着されて前記ケース本体を覆う外装ケースを有するケースと、
剛性の高い材料で板状に形成され、前記ケース本体の側壁部に互いに対向した状態で外部に突出して設けられた一対の補強部材を有するバンド取付部と、
前記バンド取付部の前記一対の補強部材間に一端部が配置されるバンドと、
前記バンドの前記一端部を前記バンド取付部に取り付ける締結部材と、
前記締結部材を中心とする前記バンドの回転を抑制する回転抑制部と、
を備え、
前記回転抑制部は、前記バンドの一端部に設けられた弾性突起部と、前記ケース本体の下部に設けられて前記弾性突起部が係合する係止溝と、
を備えていることを特徴とするバンド取付構造。
【請求項２】
請求項１に記載のバンド取付構造において、前記バンドが前記ケースの外側に向けて引っ張られる方向に対して、前記一対の補強部材を前記ケース本体に係止するための抜止め部を備えていることを特徴とするバンド取付構造。
【請求項３】
請求項２に記載のバンド取付構造において、前記抜止め部は、前記一対の補強部材の上下に突出する突起部と、前記ケース本体に設けられて前記突起部を係止する係止部と、を備えていることを特徴とするバンド取付構造。
【請求項４】
請求項２に記載のバンド取付構造において、前記抜止め部は、前記一対の補強部材に設けられて前記ケース本体の外周方向に向けて突出する取付片と、前記ケース本体に設けられて前記取付片が嵌入する嵌合穴と、を備えていることを特徴とするバンド取付構造。
【請求項５】
請求項１〜請求項４のいずれかに記載のバンド取付構造において、前記締結部材は、雄ねじ部を有する第１のねじ部材と、前記第１のねじ部材の前記雄ねじ部が螺合する雌ねじ部を有する第２のねじ部材と、前記バンドの前記一端部内に挿入されて前記一対の補強部材間に配置され、かつ前記第１のねじ部材および前記第２のねじ部材が挿入する筒状部材と、を有していることを特徴とするバンド取付構造。
【請求項６】
請求項１〜請求項５のいずれかに記載のバンド取付構造において、前記バンドの前記一端部の両側にこれを跨いで配置され、この状態で前記一対の補強部材間に前記締結部材によって前記バンドの前記一端部と共に取り付けられ、前記締結部材を中心とする前記バンドの回転範囲を規制する回転規制部材を備えていることを特徴とするバンド取付構造。
【請求項７】
請求項１〜請求項６のいずれかに記載されたバンド取付構造において、裏蓋を備え、前記裏蓋は、前記弾性突起部が前記係止溝に係合された状態で前記弾性突起部を押さえ付けていることを特徴とするバンド取付構造。
【請求項８】
請求項１〜請求項７のいずれかに記載されたバンド取付構造において、前記弾性突起部は、前記バンドの一端部における両側部に一体に形成されていることを特徴とするバンド取付構造。
【請求項９】
請求項１〜請求項８のいずれかに記載されたバンド取付構造を備えていることを特徴とする腕時計。
【発明の詳細な説明】
【技術分野】
【０００１】
この発明は、腕時計などの腕装着型の電子機器、または鞄やバッグなどに用いられるバンド取付構造およびそれを備えた腕時計に関する。
【背景技術】
【０００２】
例えば、腕時計においては、特許文献１に記載されているように、腕時計ケースの外周面に切欠き部を設け、この切欠き部に時計バンドの先端部である先カン部の取付部を係合させ、この先カン部の取付部を腕時計ケースとリング状の固定部材とで挟み、この状態で固定部材の下側から固定部材の貫通孔および先カン部の取付部に設けられた突起部の取付孔を通してねじを腕時計ケースのねじ穴に螺着させることにより、時計バンドを腕時計ケースに取り付けるように構成したものが知られている。
【先行技術文献】
【特許文献】
【０００３】
【特許文献１】特開２００３−３２９７８２号公報
【発明の概要】
【発明が解決しようとする課題】
【０００４】
しかしながら、このような腕時計のバンド取付構造では、時計バンドの取付強度を確保するために、時計バンドの先端部である先カン部に金属製の取付部をインサート成型しなければならないため、時計バンドが構造上の制約を受け、時計バンドの構造が複雑になるほか、先カン部の取付部に取付孔を有する突起部を設ける必要があるため、この突起部によって時計バンドにおける長手方向と直交する方向の長さ（幅）が制約を受け、時計ケースの外形に対して時計バンドを幅広に形成することができないという問題がある。
【０００５】
この発明が解決しようとする課題は、簡単な構造で、バンドの取付強度を確保することができ、かつケースの外径に対してバンドを幅広に形成することができるバンド取付構造およびそれを備えた腕時計を提供することである。
【課題を解決するための手段】
【０００６】
この発明は、ケース本体およびその外周に装着されて前記ケース本体を覆う外装ケースを有するケースと、剛性の高い材料で板状に形成され、前記ケース本体の側壁部に互いに対向した状態で外部に突出して設けられた一対の補強部材を有するバンド取付部と、前記バンド取付部の前記一対の補強部材間に一端部が配置されるバンドと、前記バンドの前記一端部を前記バンド取付部に取り付ける締結部材と、前記締結部材を中心とする前記バンドの回転を抑制する回転抑制部と、を備え、前記回転抑制部は、前記バンドの一端部に設けられた弾性突起部と、前記ケース本体の下部に設けられて前記弾性突起部が係合する係止溝と、を備えていることを特徴とするバンド取付構造である。
【発明の効果】
【０００７】
この発明によれば、バンドの一端部をバンド取付部の一対の補強部材間に配置させ、この状態で締結部材によってバンドの一端部をバンド取付部の一対の補強部材に取り付けることができる。このため、バンドの取付構造が簡単で、バンドの取付強度を確保することができ、かつケース本体の側壁部に取り付けられる一対の補強部材間の間隔を広くすることができるので、ケースの外径に対してバンドを幅広に形成することができる。
【図面の簡単な説明】
【０００８】
【図１】この発明を腕時計に適用した第１実施形態を示した拡大正面図である。
【図２】図１に示された腕時計の拡大斜視図である。
【図３】図１に示された腕時計のＡ−Ａ矢視における要部の拡大断面図である。
【図４】図２に示された腕時計を示し、（ａ）はその腕時計の腕時計ケースを示した拡大斜視図、（ｂ）はその腕時計ケースに取り付けられる時計バンドの一端部および回転規制部材を示した要部の拡大斜視図である。
【図５】図４（ａ）に示された腕時計のケース本体を示し、（ａ）はそのケース本体の拡大斜視図、（ｂ）はそのケース本体に取り付けられる補強部材を示した拡大斜視図である。
【図６】図１に示された腕時計のＢ−Ｂ矢視における拡大断面図である。
【図７】この発明を腕時計に適用した第２実施形態におけるケース本体を示し、（ａ）はそのケース本体の要部を示した拡大斜視図、（ｂ）はそのケース本体に取り付けられる補強部材を示した拡大斜視図である。
【図８】この発明を腕時計に適用した第３実施形態において、その腕時計を裏面側から見た要部の拡大斜視図である。
【図９】図８に示された腕時計のＣ−Ｃ矢視における要部の拡大断面図である。
【図１０】図８に示された腕時計において、裏蓋を取り外した状態を示した要部の拡大斜視図である。
【図１１】図１０に示された腕時計を示し、（ａ）はその腕時計の腕時計ケースを示した拡大斜視図、（ｂ）はその腕時計ケースに取り付けられる時計バンドの一端部および回転規制部材を示した要部の拡大斜視図である。
【発明を実施するための形態】
【０００９】
（第１実施形態）
以下、図１〜図６を参照して、この発明を腕時計に適用した第１実施形態について説明する。
この腕時計は、図１および図２に示すように、腕時計ケース１を備えている。この腕時計ケース１は、図３に示すように、ケース本体２と外装ケース３とを有している。
【００１０】
ケース本体２は、硬質の合成樹脂からなり、図３に示すように、その内部に補強用の金属部材２ａがインサート成型によって埋め込まれた構成になっている。外装ケース３は、ウレタン樹脂などの軟質の合成樹脂からなり、ケース本体２の外周面にこれを覆って設けられるように構成されている。
【００１１】
この腕時計ケース１の上部開口部、つまりケース本体２の上部開口部には、図３に示すように、時計ガラス４がパッキン４ａを介して取り付けられている。また、この腕時計ケース１の下部、つまりケース本体２の下部には、ステンレスなどの剛性の高い金属からなる裏蓋５が防水リング５ａを介して取り付けられている。さらに、この腕時計ケース１の３時側と９時側とに位置する外周面には、図１に示すように、複数のスイッチ部７が設けられている。
【００１２】
また、この腕時計ケース１の内部、つまりケース本体２の内部には、図３に示すように、時計モジュール６が組み込まれている。この時計モジュール６は、図示しないが、指針を運針するための時計ムーブメントや、時刻などの情報を電気光学的に表示する表示装置、およびこれら時計ムーブメントや表示装置を駆動する回路基板など、時計機能に必要な各種の部品を備えている。
【００１３】
さらに、この腕時計ケース１は、図１〜図３に示すように、１２時側と６時側とに位置する外周面に時計バンド８がそれぞれ取り付けられるように構成されている。この時計バンド８が取り付けられるケース本体２の外周面には、図１〜図６に示すように、時計バンド８が取り付けられるバンド取付部１０がそれぞれ設けられている。
【００１４】
このバンド取付部１０は、図４（ａ）および図５（ａ）に示すように、ケース本体２の外周面に横長の長方形状に設けられた厚肉部１１と、この厚肉部１１の外周に沿う方向に位置する両側部に互いに対向した状態でケース本体２の外部に突出して設けられた一対の補強部材１２とを有し、これら厚肉部１１の上下部および一対の補強部材１２の各外側が外装ケース３で覆われた構成になっている。
【００１５】
この場合、一対の補強部材１２は、図５（ａ）および図５（ｂ）に示すように、ステンレスなどの剛性の高い金属板で形成されている。これら一対の補強部材１２は、ケース本体２の外部に突出する一端部に取付孔１２ａがそれぞれ設けられ、その他端部が抜止め部１３によって厚肉部１１の両側部にそれぞれ取り付けられるように構成されている。
【００１６】
抜止め部１３は、図３および図５に示すように、時計バンド８が腕時計ケース１の外側に向けて引っ張られた際に、補強部材１２がケース本体２から抜け出さないように係止するためのものである。すなわち、この抜止め部１３は、一対の補強部材１２の各他端部にその上下方向に向けて突出して設けられた各突起部１３ａと、ケース本体２の厚肉部１１の外周に沿う方向に位置する両側部の上下部に設けられ、補強部材１２を上下方向に挟んだ状態で突起部１３ａを係止する係止部１１ａと、を備えている。
【００１７】
これにより、抜止め部１３は、図３および図５に示すように、補強部材１２の取付孔１２ａ側に位置する突起部１３ａの前端部（図３では左側の端部）がケース本体２側に位置する係止部１１ａの後端部（図３では右側の端部）に当接していることにより、時計バンド８が腕時計ケース１の外側に向けて引っ張られた際に、補強部材１２がケース本体２から抜け出す方向に離脱しないように構成されている。
【００１８】
このため、一対の補強部材１２は、図３および図５に示すように、抜止め部１３の突起部１３ａが抜止め部１３の係止部１１ａに係止された状態で、ケース本体２の厚肉部１１の両側部に対応する側面が両面接触テープなどの接着材（図示せず）によって接着されることにより、ケース本体２に仮固定されるように構成されている。
【００１９】
これにより、一対の補強部材１２は、図３〜図５に示すように、ケース本体２に仮固定された状態で補強部材１２が外装ケース３で覆われることにより、ケース本体２に対して抜け出すことなく固定されるように構成されている。この場合、補強部材１２を覆う個所の外装ケース３には、補強部材１２の取付孔１２ａの内径よりも少し大きい内径の挿入孔３ａが補強部材１２の取付孔１２ａと同一軸上に対応して設けられている。また、この補強部材１２の一面には、その表裏面を特定するためのマーク１２ｂが設けられている。
【００２０】
一方、時計バンド８は、図１〜図４に示すように、ウレタン樹脂などの軟質の合成樹脂からなる樹脂バンドであり、その長手方向における一端部８ａがバンド取付部１０に締結部材１４によって取り付けられるように構成されている。この場合、時計バンド８は、その一端部８ａがバンド取付部１０の一対の補強部材１２間に配置されるように構成されている。
【００２１】
この時計バンド８の一端部８ａには、図４および図６に示すように、一対の補強部材１２の各取付孔１２ａの内径よりも大きい貫通孔８ｂが設けられている。この貫通孔８ｂは、時計バンド８の一端部８ａがバンド取付部１０の一対の補強部材１２間に配置された際に、一対の補強部材１２の各取付孔１２ａと同一軸上に対応するように構成されている。
【００２２】
締結部材１４は、図３および図６に示すように、第１のねじ部材１５と、第２のねじ部材１６と、時計バンド８の一端部８ａに設けられた貫通孔８ｂに挿入されて一対の補強部材１２間に配置され、かつ第１のねじ部材１５および第２のねじ部材１６が挿入する筒状部材１７と、を有している。
【００２３】
この場合、第１のねじ部材１５は、図６に示すように、補強部材１２の取付孔１２ａを通して筒状部材１７内に挿入する雄ねじ部１５ａと、この雄ねじ部１５ａの外径よりも大きく形成されて外装ケース３の挿入孔３ａに挿入する首部１５ｂと、この外装ケース３の挿入孔３ａの内径よりも大きい頭部１５ｃと、を有している。
【００２４】
第２のねじ部材１６は、図６に示すように、補強部材１２の取付孔１２ａを通して筒状部材１７内に挿入する軸部１６ａと、この軸部１６ａの先端部側に設けられて第１のねじ部材１５の雄ねじ部１５ａが螺合する雌ねじ部１６ｂと、軸部１６ａの外径よりも大きく形成されて外装ケース３の挿入孔３ａに挿入する首部１６ｃと、この外装ケース３の挿入孔３ａの内径よりも大きい頭部１６ｄと、を有している。
【００２５】
筒状部材１７は、図３〜図６に示すように、金属製のパイプであり、その内径が第２のねじ部材１６の軸部１６ａの外径とほぼ同じ大きさで、外径が時計バンド８の貫通孔８ｂの内径とほぼ同じ大きさで、かつ一対の補強部材１２の各取付孔１２ａの内径よりも大きく形成されている。
【００２６】
また、この筒状部材１７は、図６に示すように、その軸方向の長さが一対の補強部材１２間の長さと同じ長さに形成されている。これにより、筒状部材１７は、一対の補強部材１２間に配置された際に、一対の補強部材１２の各対向面に筒状部材１７の両端部が当接するように構成されている。
【００２７】
これにより、締結部材１４は、図６に示すように、時計バンド８の貫通孔８ｂに筒状部材１７が挿入され、この筒状部材１７が時計バンド８の一端部８ａと共に一対の補強部材１２間に配置されて一対の補強部材１２の各取付孔１２ａと同一軸上に対応し、この状態で第１のねじ部材１５と第２のねじ部材１６とがバンド取付部１０の外装ケース３の各挿入孔３ａおよび一対の補強部材１２の各取付孔１２ａを通して筒状部材１７に挿入されるように構成されている。
【００２８】
また、この締結部材１４は、図６に示すように、第１のねじ部材１５と第２のねじ部材１６とが筒状部材１７に挿入された状態で、第２のねじ部材１６の雌ねじ部１６ｂに第１のねじ部材１５の雄ねじ部１５ａを螺合させて締め付けることにより、時計バンド８の一端部８ａをバンド取付部１０に取り付けるように構成されている。
【００２９】
この場合、締結部材１４は、図６に示すように、第２のねじ部材１６の雌ねじ部１６ｂに第１のねじ部材１５の雄ねじ部１５ａが螺合して締め付けられると、第１のねじ部材１５の首部１５ｂが外装ケース３の挿入孔３ａに挿入されて頭部１５ｃが挿入孔３ａの縁部を軸方向に押圧し、第２のねじ部材１６の首部１６ｃが外装ケース３の挿入孔３ａに挿入されて頭部１６ｄが挿入孔３ａの縁部を軸方向に押圧するように構成されている。
【００３０】
このため、締結部材１４は、図６に示すように、第２のねじ部材１６の雌ねじ部１６ｂに第１のねじ部材１５の雄ねじ部１５ａが螺合して締め付けられると、第１のねじ部材１５の首部１５ｂと第２のねじ部１６の首部１６ｃとが一対の補強部材１２を互いに接近する方向に押し付けることにより、一対の補強部材１２を筒状部材１７の両端部に押し付けると共に、一対の補強部材１２をケース本体２の厚肉部１１の両端部に押し付けて固定するように構成されている。
【００３１】
ところで、時計バンド８の一端部８ａには、図１〜図４に示すように、時計バンド８の回転範囲を規制する先カンである回転規制部材１８が設けられている。この回転規制部材１８は、時計バンド８の一端部８ａと共に締結部材１４によってバンド取付部１０に取り付けられるように構成されている。
【００３２】
すなわち、回転規制部材１８は、図４（ｂ）に示すように、時計バンド８の一端部８ａの両側に配置される一対の側辺部１８ａと、時計バンド８の一端部８ａの上面側を跨いでバンド取付部１０から離れた位置の一対の側辺部１８ａの各端部を連結する連結辺部１８ｂと、を有している。
【００３３】
この場合、バンド取付部１０側に位置する一対の側辺部１８ａの各端部は、図４（ｂ）および図６に示すように、時計バンド８の一端部８ａの両側と一対の補強部材１２との間に配置される薄肉部１９にそれぞれ形成されている。これら薄肉部１９には、締結部材１４の筒状部材１７が挿入する挿入孔１９ａがそれぞれ設けられている。
【００３４】
このため、回転規制部材１８は、図４（ｂ）および図６に示すように、時計バンド８の一端部８ａの両側に一対の側辺部１８ａが配置されて、各薄肉部１９の挿入孔１９ａが時計バンド８の貫通孔８ｂと同一軸上に対応され、この状態で筒状部材１７を薄肉部１９の挿入孔１９ａから時計バンド８の貫通孔８ｂに挿入されることにより、時計バンド８に取り付けられるように構成されている。
【００３５】
この場合、バンド取付部１０側に位置する一対の側辺部１８ａの各端部には、図３および図４（ｂ）に示すように、時計バンド８の回転範囲を規制する回転規制部２０が設けられている。この回転規制部２０は、締結部材１４の筒状部材１７を中心に回転規制部材１８が図３において反時計回りに回転した際に、補強部材１２の下端部に当接する第１当接部２０ａと、締結部材１４の筒状部材１７を中心に回転規制部材１８が図３において時計回りに回転した際に、補強部材１２の先端部に位置する外装ケース３の端部３ｂに当接する第２当接部２０ｂと、を有している。
【００３６】
これにより、回転規制部２０は、図３および図４（ｂ）に示すように、回転規制部材１８が締結部材１４の筒状部材１７を中心に図３において反時計回りに回転した際に、第２当接部２０ｂが補強部材１２の先端部に位置する外装ケース３の端部３ｂから離れて、第１当接部２０ａが補強部材１２の下端部に当接して、回転規制部材１８の回転範囲を規制するように構成されている。
【００３７】
また、この回転規制部２０は、図３および図４（ｂ）に示すように、回転規制部材１８が締結部材１４の筒状部材１７を中心に図３において時計回りに回転した際に、第１当接部２０ａが補強部材１２の下端部から離れて、第２当接部２０ｂが補強部材１２の先端部に位置する外装ケース３の端部３ｂに当接して、回転規制部材１８の回転範囲を規制するように構成されている。
【００３８】
次に、このような腕時計ケース１に時計バンド８を取り付ける場合について説明する。
この場合には、予め、ケース本体２の側壁部にバンド取付部１０の一対の補強部材１２を取り付ける。このときには、まず、ケース本体２の側壁部に突出して形成されて厚肉部１１の外周に沿う方向に位置する両側部に一対の補強部材１２を互いに対向させた状態で配置して仮固定する。
【００３９】
すなわち、ケース本体２の厚肉部１１における両側部の上下に設けられた各係止部１１ａ間に補強部材１２を挟んだ状態で配置し、補強部材１２の取付孔１２ａ側に位置する突起部１３ａの前端部（図３では左側の端部）をケース本体２側に位置する係止部１１ａの後端部（図３では右側の端部）に当接させる。
【００４０】
この状態で、ケース本体２の厚肉部１１の両側部に対応する補強部材１２の側面を両面接触テープなどの接着材（図示せず）によってケース本体２の厚肉部１１の両側面にそれぞれ接着する。これにより、一対の補強部材１２が互いに対向した状態でケース本体２に仮固定される。この状態で、ケース本体２の外周に外装ケース３を取り付けてケース本体２の外周を覆うと共に、この外装ケース３によって一対の補強部材１２の各外側を覆う。
【００４１】
この状態では、外装ケース３の挿入孔３ａが補強部材１２の取付孔１２ａと同一軸上に対応し、補強部材１２が抜止め部１３によってケース本体２から時計バンド８の引っ張り方向に抜け出すことがなく、確実に仮固定される。これにより、腕時計ケース１の側部にバンド取付部１０が外部に突出した状態で設けられる。
【００４２】
そして、このバンド取付部１０に時計バンド８を取り付ける。この場合には、予め、時計バンド８の一端部８ａに回転規制部材１８を取り付ける。このときには、時計バンド８の一端部８ａの両側に回転規制部材１８の一対の側辺部１８ａを配置すると共に、時計バンド８の一端部８ａ上に連結辺部１８ｂを配置し、一対の側辺部１８ａの各薄肉部１９に設けられた挿入孔１９ａを時計バンド８の貫通孔８ｂと同一軸上に対応させる。
【００４３】
この状態で、締結部材１４の筒状部材１７を回転規制部材１８の側辺部１８ａにおける薄肉部１９の挿入孔１９ａから時計バンド８の一端部８ａに設けられた貫通孔８ｂに挿入させる。これにより、回転規制部材１８が時計バンド８の一端部８ａに筒状部材１７によって回転可能な状態で取り付けられる。
【００４４】
そして、時計バンド８の一端部８ａをバンド取付部１０の一対の補強部材１２間に回転規制部材１８および筒状部材１７と共に配置する。このときには、回転規制部材１８の一対の側辺部１８ａの各薄肉部１９が時計バンド８の一端部８ａの両側部と一対の補強部材１２との間に配置される。また、筒状部材１７は、その両端部が一対の補強部材１２の各対向面に当接した状態で配置される。
【００４５】
この状態で、締結部材１４の筒状部材１７を一対の補強部材１２の各取付孔１２ａに同一軸上で対応させ、第２のねじ部材１６の軸部１６ａをバンド取付部１０に位置する外装ケース３の一方の挿入孔３ａから補強部材１２の取付孔１２ａに挿入させて筒状部材１７内に挿入させる。同様に、締結部材１４の第１のねじ部材１５の雄ねじ部１５ａをバンド取付部１０に位置する外装ケース３の他方の挿入孔３ａから補強部材１２の取付孔１２ａに挿入させて筒状部材１７内に挿入させる。
【００４６】
そして、第１のねじ部材１５の雄ねじ部１５ａを第２のねじ部材１６の雌ねじ部１６ｂに螺合させて締め付ける。すると、第１のねじ部材１５の首部１５ｂが外装ケース３の挿入孔３ａに挿入して頭部１５ｃが挿入孔３ａの縁部を軸方向に押圧し、第２のねじ部材１６の首部１６ｃが外装ケース３の挿入孔３ａに挿入して頭部１６ｄが挿入孔３ａの縁部を軸方向に押圧する。
【００４７】
このときには、第１のねじ部材１５の首部１５ｂと第２のねじ部１６の首部１６ｃとが一対の補強部材１２を互いに接近する方向に向けて押し付けるので、一対の補強部材１２が筒状部材１７の両端部に押し付けられて固定されると共に、一対の補強部材１２がケース本体２の厚肉部１１の両端部に押し付けられて固定される。これにより、一対の補強部材１２が互いに接近する方向に撓み変形することがなく、ケース本体２に確実にかつ強固に固定される。
【００４８】
このため、時計バンド８の一端部８ａがバンド取付部１０の一対の補強部材１２に回転規制部材１８と共に取り付けられる。この状態では、回転規制部材１８の回転規制部２０が補強部材１２の取付孔１２ａ側に位置する先端部の外周に対応して配置される。これにより、回転規制部２０の第１当接部２０ａが補強部材１２の下端部に接離可能な状態で対応し、第２当接部２０ｂがバンド取付部１０に位置する外装ケース３の端部３ｂに接離可能な状態で対応する。
【００４９】
次に、このように時計バンド８が取り付けられた腕時計のバンド取付構造の作用について説明する。
腕時計ケース１を腕に取り付ける際には、時計バンド８を腕時計ケース１に対して引っ張っても、一対の補強部材１２が抜止め部１３によってケース本体２に強固に固定されていることにより、一対の補強部材１２がケース本体２から抜け出して離脱することがない。
【００５０】
すなわち、一対の補強部材１２は、ケース本体２の厚肉部１１における両側部の上下に設けられた各係止部１１ａ間に配置されて、補強部材１２の取付孔１２ａ側に位置する突起部１３ａの前端部（図３では左側の端部）がケース本体２側に位置する係止部１１ａの後端部（図３では右側の端部）に当接している。これにより、時計バンド８が腕時計ケース１に対して引っ張られても、一対の補強部材１２がケース本体２から抜け出して離脱することがない。
【００５１】
また、時計バンド８は、バンド取付部１０に締結部材１４によって取り付けられていることにより、時計バンド８がウレタン樹脂などの軟質の合成樹脂で形成されていても、締結部材１４によって時計バンド８の一端部８ａが確実にかつ良好に取り付けられる。このため、時計バンド８が腕時計ケース１に対して引っ張られても、時計バンド８の一端部８ａがバンド取付部１０から離脱することがない。
【００５２】
すなわち、締結部材１４は、第１のねじ部材１５と第２のねじ部材１６とが筒状部材１７に挿入された状態で、第２のねじ部材１６の雌ねじ部１６ｂに第１のねじ部材１５の雄ねじ部１５ａが螺合して締め付けられる。これにより、一対の補強部材１２が筒状部材１７の両端部に押し付けられるので、時計バンド８の一端部８ａがバンド取付部８に確実にかつ強固に取り付けられる。
【００５３】
一方、このようにバンド取付部１０に取り付けられた時計バンド８を腕に取り付ける際には、時計バンド８の一端部８ａが締結部材１４の筒状部材１７を中心に回転規制部材１８と共に回転して、時計バンド８が腕にフィットして装着する。このときには、締結部材１４の筒状部材１７を中心に時計バンド８の一端部８ａが図３において反時計回り回転し、これに伴って回転規制部材１８が筒状部材１７を中心に反時計回り回転する。
【００５４】
このため、回転規制部材１８の一対の側辺部１８ａに設けられた回転規制部２０の第１当接部２０ａがバンド取付部１０の一対の補強部材１２の各下端部に当接して、筒状部材１７を中心とする回転規制部材１８の反時計回り方向の回転が規制される。これにより、時計バンド８の一端部８ａにおける反時計回り方向の回転が回転規制部材１８の連結辺部１８ｂによって規制される。このため、時計バンド８が腕に良好にフィットした状態で取り付けられる。
【００５５】
また、腕時計ケース１を腕から取り外す際には、時計バンド８の一端部８ａが締結部材１４の筒状部材１７を中心に回転規制部材１８と共に回転して腕から時計バンド８を取り外すことができる。このときは、締結部材１４の筒状部材１７を中心に時計バンド８の一端部８ａが図３において時計回り回転し、これに伴って回転規制部材１８が筒状部材１７を中心に時計回り回転する。
【００５６】
このため、回転規制部材１８の一対の側辺部１８ａに設けられた回転規制部２０の第２当接部２０ｂが一対の補強部材１２を覆う外装ケース３の端部３ｂに当接して、筒状部材１７を中心とする回転規制部材１８の時計回り方向の回転が規制される。これにより、時計バンド８の一端部８ａにおける時計回り方向の回転が回転規制部材１８の連結辺部１８ｂによって規制される。
【００５７】
この状態で、腕時計ケース１を卓上に置いた際には、筒状部材１７を中心とする時計バンド８の一端部８ａの回転が回転規制部材１８の連結辺部１８ｂによって規制されている。これにより、時計バンド８の一端部８ａによって腕時計ケース１が卓上に浮いた状態で弾力的に配置される。
【００５８】
このように、この腕時計のバンド取付構造によれば、合成樹脂製のケース本体２およびその外周に装着されてケース本体２を覆う合成樹脂製の外装ケース３を有する腕時計ケース１と、剛性の高い材料で板状に形成され、ケース本体２の側壁部に互いに対向した状態で外部に突出して設けられた一対の補強部材１２を有するバンド取付部１０と、このバンド取付部１０の一対の補強部材１２間に一端部８ａが配置される時計バンド８と、この時計バンド８の一端部８ａをバンド取付部１０に取り付ける締結部材１４と、を備えていることにより、簡単な構造で、時計バンド８の取付強度を確保することができ、かつ腕時計ケース１の外径に対して時計バンド８を幅広に形成することができる。
【００５９】
すなわち、この腕時計のバンド取付構造では、時計バンド８の一端部８ａをバンド取付部１０の一対の補強部材１２間に配置させ、この状態で締結部材１４によって時計バンド８の一端部８ａをバンド取付部１０の一対の補強部材１２に取り付けることができる。このため、時計バンド８の取付構造が簡単で、時計バンド８の取付強度を確保することができ、かつケース本体２の側壁部に取り付けられる一対の補強部材１２間の間隔を広くすることができるので、腕時計ケース１の外径に対して時計バンド８を幅広に形成することができる。
【００６０】
この場合、一対の補強部材１２それぞれは、金属製の板状に形成されていることにより、補強部材１２の板厚を薄く形成しても、バンド取付部１０の強度を確保することができると共に、補強部材１２の板厚を薄くすることにより、一対の補強部材１２間の間隔を広くすることができる。
【００６１】
このため、ケース本体２の外周に形成された厚肉部１１の外周に沿う方向の長さをケース本体２の外径に対して最大限に長くすることにより、一対の補強部材１２間の間隔をケース本体２の外径に対して最大限に広くすることができる。これにより、時計バンド８の長手方向と直交する方向の長さである時計バンド８の幅をケース本体２の外径に対して最大限に広く形成することができる。
【００６２】
また、このバンド取付構造では、一対の補強部材１２を腕時計ケース１のケース本体２に係止する抜止め部１３を備えていることにより、補強部材１２の板厚を薄く形成しても、抜止め部１３によって補強部材１２をケース本体２に確実にかつ強固に固定することができる。このため、時計バンド８が腕時計ケース１から外部に向けて引っ張られても、抜止め部１３によって補強部材１２がケース本体２に対して抜け出さすことがない。
【００６３】
すなわち、補強部材１２の抜止め部１３は、補強部材１２の上下に突出する突起部１３ａと、ケース本体２の厚肉部１１の両側部に設けられて突起部１３ａを係止する係止部１１ａと、を備えていることにより、補強部材１２の取付孔１２ａ側に位置する突起部１３ａの端部をケース本体２側に位置する係止部１１ａの端部に当接させることができ、これにより補強部材１２がケース本体２から抜け出すことがなく、補強部材１２をケース本体２に対して確実にかつ良好に固定することができる。
【００６４】
この場合、補強部材１２は、ケース本体２の厚肉部１１における両側部の上下に設けられた各係止部１１ａ間に配置され、この状態で補強部材１２の取付孔１２ａ側に位置する突起部１３ａの端部がケース本体２側に位置する係止部１１ａの端部に当接していることにより、時計バンド８が腕時計ケース１から外部に向けて引っ張られても、一対の補強部材１２がケース本体２から抜け出して離脱することがない。
【００６５】
また、この補強部材１２は、ケース本体２の厚肉部１１の両側面に対応する側面を両面接触テープなどの接着材（図示せず）によって接着されて、各補強部材１２の外側が外装ケース３で覆われているので、補強部材１２がケース本体２から抜け出すことないばかりか、腕時計ケースの外部から見えないように補強部材１２を隠すことができると共に、補強部材１２がケース本体２の厚肉部１１の両側からその側方に脱落しないように、補強部材１２をケース本体２に対して確実に仮固定することができる。
【００６６】
また、この腕時計のバンド取付構造では、締結部材１４が、雄ねじ部１５ａを有する第１のねじ部材１５と、この第１のねじ部材１５の雄ねじ部１５ａが螺合する雌ねじ部１６ｂを有する第２のねじ部材１６と、時計バンド８の一端部８ａ内に挿入されて一対の補強部材１２間に配置され、かつ第１のねじ部材１５および第２のねじ部材１６が挿入する筒状部材１７と、を有していることにより、時計バンド８の一端部８ａを腕時計ケース１のバンド取付部１０に確実にかつ強固に取り付けることができる。
【００６７】
すなわち、筒状部材１７は、金属製のパイプであり、その軸方向の長さが一対の補強部材１２間の長さと同じ長さで形成されていることにより、バンド取付部１０の外側から第１のねじ部材１５と第２のねじ部材１６とを筒状部材１７内に挿入させて雄ねじ部１５ａを雌ねじ部１６ｂに螺合させて締め付けた際に、第１のねじ部材１５と第２のねじ部材１６とによって一対の補強部材１２を互いに接近する方向に押し付けることができる。
【００６８】
このため、一対の補強部材１２を筒状部材１７の両端部に押し付けることができると共に、補強部材１２をケース本体２の側壁部から突出して形成された厚肉部１１の両側部に強く押し付けて強固に固定することができることができるので、時計バンド８の一端部８ａを腕時計ケース１のバンド取付部１０に確実にかつ強固に取り付けることができる。
【００６９】
さらに、この腕時計のバンド取付構造では、時計バンド８の一端部８ａの両側にこれを跨いで配置され、この状態で一対の補強部材１２間に締結部材１４によって時計バンド８の一端部８ａと共に取り付けられ、この締結部材１４を中心とする時計バンド８の回転範囲を規制する回転規制部材１８を備えていることにより、腕時計ケース１を腕に取り付ける際に、時計バンド８の一端部８ａが締結部材１４の筒状部材１７を中心に回転規制部材１８と共に回転して、時計バンド８を腕にフィットさせることができる。
【００７０】
この場合、回転規制部材１８は、時計バンド８の一端部８ａの両側に配置される一対の側辺部１８ａと、時計バンド８の一端部８ａの上面側を跨いでバンド取付部１０から離れた位置の一対の側辺部１８ａの各端部を連結する連結辺部１８ｂと、を有し、バンド取付部１０側に位置する一対の側辺部１８ａの各端部が薄肉部１９に形成され、この薄肉部１９に挿入孔１９ａが設けられているので、筒状部材１７を薄肉部１９の挿入孔１９ａから時計バンド８の貫通孔８ｂに挿入することにより、回転規制部材１８を時計バンド８と共にバンド取付部１０に簡単にかつ確実に取り付けることができる。
【００７１】
また、この回転規制部材１８は、バンド取付部１０側に位置する一対の側辺部１８ａの各端部に時計バンド８の回転範囲を規制する回転規制部２０が設けられているので、この回転規制部２０によって締結部材１４の筒状部材１７を中心とする時計バンド８の一端部８ａの回転範囲を確実にかつ良好に規制することができ、これにより腕時計ケース１を腕に取り付ける際に、時計バンド８を腕に良好にフィットさせることができる。
【００７２】
すなわち、回転規制部２０は、締結部材１４の筒状部材１７を中心に回転規制部材１８が図３において反時計回りに回転した際に、補強部材１２の下端部に当接する第１当接部２０ａと、締結部材１４の筒状部材１７を中心に回転規制部材１８が図３において時計回りに回転した際に、補強部材１２の先端部に位置する外装ケース３の端部３ｂに当接する第２当接部２０ｂと、を有していることにより、第１当接部２０ａと第２当接部２０ｂとによって締結部材１４の筒状部材１７を中心とする時計バンド８の一端部８ａの回転範囲を確実にかつ良好に規制することができる。
【００７３】
このため、腕時計ケース１を時計バンド８で腕に取り付ける際には、回転規制部２０の第１当接部２０ａがバンド取付部１０の一対の補強部材１２の各下端部に当接して、筒状部材１７を中心とする回転規制部材１８の反時計回り方向の回転を規制することができるので、時計バンド８を腕に良好にフィットさせた状態で取り付けることができる。
【００７４】
また、腕時計ケース１を腕から取り外す際には、回転規制部２０の第２当接部２０ｂが一対の補強部材１２を覆う外装ケース３の端部３ｂに当接して、筒状部材１７を中心とする回転規制部材１８の時計回り方向の回転を規制することができるので、時計バンド８が必要以上に回転することがなく、時計バンド８を腕から良好に取り外すことができる。
【００７５】
また、腕から取り外した腕時計ケース１を卓上に置いた際には、筒状部材１７を中心とする回転規制部材１８の時計回り方向の回転が規制されているので、筒状部材１７を中心とする時計バンド８の一端部８ａの回転を回転規制部材１８の連結辺部１８ｂによって規制することができ、これにより時計バンド８の一端部８ａによって腕時計ケース１を卓上に浮かせた状態で弾力的に配置させることができる。
【００７６】
（第２実施形態）
次に、図７（ａ）および図７（ｂ）を参照して、この発明を腕時計に適用した第２実施形態について説明する。なお、図１〜図６に示された第１実施形態と同一部分には同一符号を付して説明する。
この腕時計は、図７（ａ）および図７（ｂ）に示すように、一対の補強部材１２をケース本体２に係止する各抜止め部２５が第１実施形態と異なる構成であり、これ以外は第１実施形態とほぼ同じ構成になっている。
【００７７】
すなわち、抜止め部２５は、図７（ａ）および図７（ｂ）に示すように、ケース本体２側に位置する一対の補強部材１２の各端部（図７（ｂ）では右側の端部）にケース本体２の外周方向に沿って突出して設けられた取付片２５ａと、ケース本体２の厚肉部１１の外周方向に位置する両側部に設けられて各取付片２５ａがそれぞれ嵌入する各嵌合穴２５ｂと、を備えている。
【００７８】
この場合、抜止め部２５の取付片２５ａは、図７（ａ）および図７（ｂ）に示すように、ケース本体２側に位置する補強部材１２の端部をケース本体２の厚肉部１１の両側部に向けて折り曲げることによって形成されている。ケース本体２の厚肉部１１の両側部に設けられた嵌合穴２５ｂは、断面が上下方向に長い長方形状の角穴であり、補強部材１２の取付片２５ａが嵌入するように構成されている。この嵌合穴２５ｂの縁部には、取付片２５ａの近傍に位置する補強部材１２が嵌合する切欠き部２５ｃが設けられている。
【００７９】
これにより、一対の補強部材１２は、図７（ａ）および図７（ｂ）に示すように、ケース本体２の厚肉部１１の両側部に設けられた嵌合穴２５ｂに補強部材１２の取付片２５ａが嵌入されて、取付片２５ａの近傍に位置する補強部材１２が嵌合穴２５ｂの縁部に設けられた切欠き部２５ｃに嵌合され、この状態で両面接着テープなどの接着材（図示せず）によって接着されることにより、仮固定されるように構成されている。
【００８０】
また、一対の補強部材１２は、第１実施形態と同様、ケース本体２に仮固定された状態で補強部材１２が外装ケース３で覆われて、締結部材１４によって時計バンド８の一端部８ａがバンド取付部１０に取り付けられた際に、ケース本体２に対して抜け出すことなく強固に固定されるように構成されている。この場合にも、補強部材１２を覆う個所の外装ケース３には、補強部材１２の取付孔１２ａの内径よりも少し大きい内径の挿入孔３ａが補強部材１２の取付孔１２ａと同一軸上に対応して設けられている。
【００８１】
このような腕時計のバンド取付構造によれば、第１実施形態と同様の作用効果があるほか、補強部材１２の抜止め部２５が、補強部材１２の端部をケース本体２の外周方向に沿って折り曲げることによって形成された取付片２５ａと、ケース本体２の厚肉部１１の両側部に設けられて取付片２５ａが嵌入する嵌合穴２５ｂと、を備えていることにより、ケース本体２の厚肉部１１の両側部に設けられた嵌合穴２５ｂに補強部材１２の取付片２５ａを嵌入するだけで、補強部材１２がケース本体２から脱落しないように、第１実施形態よりも簡単でかつ確実に補強部材１２をケース本体２に取り付けることができる。
【００８２】
（第３実施形態）
次に、図８〜図１１を参照して、この発明を腕時計に適用した第３実施形態について説明する。この場合にも、図１〜図６に示された第１実施形態と同一部分には同一符号を付して説明する。
この腕時計は、図８および図９に示すように、時計バンド８の一端部８ａの回転を抑制する回転抑制部３０を備えた構成であり、これ以外は第１実施形態とほぼ同じ構成になっている。
【００８３】
すなわち、回転抑制部３０は、図９〜図１１に示すように、時計バンド８の一端部８ａに設けられた弾性突起部３１と、腕時計ケース１のケース本体２と裏蓋５との間に設けられて弾性突起部３１が係合する係止部３２とを有している。時計バンド８の弾性突起部３１は、断面形状がＶ字形状をなすほぼ三角形状の突起部であり、時計バンド８の一端部８ａにおける両側部に弾力を有して一体に形成されている。
【００８４】
係止部３２は、図９〜図１１に示すように、ケース本体２の厚肉部１１の両側下部にそれぞれ設けられた係止溝３３と、この係止溝３３の下側に位置して係止溝３３を塞ぐ裏蓋５と、を有している。この場合、係止溝３３は、図１１（ａ）に示すように、Ｖ字形状に形成され、時計バンド８の弾性突起部３１が係合するように形成されている。
【００８５】
裏蓋５は、図８に示すように、ケース本体２の下面にビス５ｂによって取り付けられ、図１１（ａ）に示すように、ケース本体２に設けられた係止溝３３の下側に配置されて係止溝３３を塞ぐことにより、図９に示すように、係止溝３３に係合した時計バンド８の弾性突起部３１を係止溝３３内に押え付けるように構成されている。
【００８６】
これにより、回転抑制部３０は、図９および図１０に示すように、時計バンド８の一端部８ａが締結部材１４によって腕時計ケース１のバンド取付部１０に取り付けられた際に、時計バンド８の弾性突起部３１がケース本体２に設けられた係止部３２の係止溝３３に係合し、この状態でケース本体２の下部に取り付けられた裏蓋５によって係止溝３３に係合した時計バンド８の弾性突起部３１を係止溝３３内に押え付けるように構成されている。
【００８７】
このため、この回転抑制部３０は、図９に示すように、締結部材１４の筒状部材１７を中心に時計バンド８の一端部８ａが図９において時計回り方向に回転しようとする際に、時計バンド８の弾性突起部３１がケース本体２に設けられた係止部３２の係止溝３３の内面に弾力的に当接して、時計バンド８の一端部８ａが時計回り方向に回転するのを弾力的に抑制するように構成されている。
【００８８】
また、この回転抑制部３０は、図９に示すように、締結部材１４の筒状部材１７を中心に時計バンド８の一端部８ａが図９において反時計回り方向に回転しようとする際に、時計バンド８の弾性突起部３１がケース本体２に取り付けられた裏蓋５に弾力的に当接して、時計バンド８の一端部８ａが反時計回り方向に回転するのを弾力的に抑制するように構成されている。
【００８９】
このように、この腕時計のバンド取付構造によれば、第１実施形態と同様の作用効果があるほか、締結部材１４の筒状部材１７を中心とする時計バンド８の回転を抑制する回転抑制部３０を備えていることにより、この回転抑制部３０によって時計バンド８が締結部材１４の筒状部材１７を中心に回転するのを確実にかつ良好に抑制することができる。
【００９０】
すなわち、この回転抑制部３０は、時計バンド８の一端部８ａに設けられた弾性突起部３１と、腕時計ケース１のケース本体２と裏蓋５との間に設けられて弾性突起部３１が係合する係止部３２とを有しているので、締結部材１４の筒状部材１７を中心に時計バンド８が回転する際に、係止部３２に係合している弾性突起部３１によって時計バンド８の一端部８ａの回転を弾力的に抑制することができ、これにより時計バンド８を腕に良好にフィットさせることができる。
【００９１】
なお、上述した第３実施形態では、時計バンド８の一端部８ａに回転規制部材１８が設けられている場合について述べたが、必ずしも回転規制部材１８を備えている必要はなく、回転抑制部３０のみが設けられている構成であっても良い。
【００９２】
また、上述した第１〜第３の各実施形態では、一対の補強部材１２をケース本体２に仮固定した状態で締結部材１４によって固定するように構成した場合について述べたが、これに限らず、例えば一対の補強部材１２をケース本体２にインサート成型によって一体に形成しても良く、またねじ部材によって固定するように構成しても良い。
【００９３】
また、上述した第１〜第３の各実施形態では、一対の補強部材１２をステンレスなどの金属材料で形成した場合について述べたが、必ずしも一対の補強部材１２を金属で形成する必要はなく、例えばポリアミド系樹脂などのような、強度および剛性の高い合成樹脂で形成しても良い。
【００９４】
また、上述した第１〜第３の各実施形態では、筒状部材１７は、図６に示すように、その軸方向の長さが一対の補強部材１２間の長さと同じ長さに形成されているものとしたが、軸方向の長さが一対の補強部材１２間の長さよりも短い長さとしても良い。さらに、筒状部材１７と補強部材１２との間にワッシャのような部材を有するようにしても良い。
【００９５】
このような構成にすることで、筒状部材１７を中心に時計バンド８の一端部８ａを良好に回転させることができる。回転させることで、上述した実施形態の効果に加え、締め付けた第１のねじ部材１５と第２のねじ部材１６とが緩むことを防ぐことができる。
【００９６】
さらに、筒状部材１７は、その内径が第２のねじ部材１６の軸部１６ａの外径より大きく、外径が時計バンド８の貫通孔８ｂの内径より小さく形成されても良い。同様に、筒状部材１７を中心に時計バンド８の一端部８ａを良好に回転させることができ、第１のねじ部材１５と第２のねじ部材１６とが緩むことを防ぐことができる。
【００９７】
なおまた、上述した第１〜第３の各実施形態では、腕時計に適用した場合について述べたが、必ずしも腕時計である必要はなく、例えば腕などの人体に装着して使用する血圧計や脈拍計などの電子機器に適用することができるほか、鞄やバッグなどにも適用することができる。
【００９８】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００９９】
（付記）
請求項１に記載の発明は、ケース本体およびその外周に装着されて前記ケース本体を覆う外装ケースを有するケースと、剛性の高い材料で板状に形成され、前記ケース本体の側壁部に互いに対向した状態で外部に突出して設けられた一対の補強部材を有するバンド取付部と、前記バンド取付部の前記一対の補強部材間に一端部が配置されるバンドと、前記バンドの前記一端部を前記バンド取付部に取り付ける締結部材と、を備えていることを特徴とするバンド取付構造である。
【０１００】
請求項２に記載の発明は、請求項１に記載のバンド取付構造において、前記バンドが前記ケースの外側に向けて引っ張られる方向に対して、前記一対の補強部材を前記ケース本体に係止するための抜止め部を備えていることを特徴とするバンド取付構造である。
【０１０１】
請求項３に記載の発明は、請求項２に記載のバンド取付構造において、前記抜止め部は、前記一対の補強部材の上下に突出する突起部と、前記ケース本体に設けられて前記突起部を係止する係止部と、を備えていることを特徴とするバンド取付構造である。
【０１０２】
請求項４に記載の発明は、請求項２に記載のバンド取付構造において、前記抜止め部は、前記一対の補強部材に設けられて前記ケース本体の外周方向に向けて突出する取付片と、前記ケース本体に設けられて前記取付片が嵌入する嵌合穴と、を備えていることを特徴とするバンド取付構造である。
【０１０３】
請求項５に記載の発明は、請求項１〜請求項４のいずれかに記載のバンド取付構造において、前記締結部材は、雄ねじ部を有する第１のねじ部材と、前記第１のねじ部材の前記雄ねじ部が螺合する雌ねじ部を有する第２のねじ部材と、前記バンドの前記一端部内に挿入されて前記一対の補強部材間に配置され、かつ前記第１のねじ部材および前記第２のねじ部材が挿入する筒状部材と、を有していることを特徴とするバンド取付構造である。
【０１０４】
請求項６に記載の発明は、請求項１〜請求項５のいずれかに記載のバンド取付構造において、前記バンドの前記一端部の両側にこれを跨いで配置され、この状態で前記一対の補強部材間に前記締結部材によって前記バンドの前記一端部と共に取り付けられ、前記締結部材を中心とする前記バンドの回転範囲を規制する回転規制部材を備えていることを特徴とするバンド取付構造である。
【０１０５】
請求項７に記載の発明は、請求項１〜請求項６のいずれかに記載のバンド取付構造において、前記締結部材を中心とする前記バンドの回転を抑制する回転抑制部を備えていることを特徴とするバンド取付構造である。
【０１０６】
請求項８に記載の発明は、請求項１〜請求項７のいずれかに記載されたバンド取付構造を備えていることを特徴とする腕時計である。
【符号の説明】
【０１０７】
１  腕時計ケース
２  ケース本体
３  外装ケース
４  時計ガラス
５  裏蓋
８  時計バンド
８ａ  一端部
１０  バンド取付部
１１  厚肉部
１１ａ  係止部
１２  補強部材
１２ａ  取付孔
１３、２５  抜止め部
１３ａ  突起部
１４  締結部材
１５  第１のねじ部材
１５ａ  雄ねじ部
１６  第２のねじ部材
１６ｂ  雌ねじ部
１７  筒状部材
１８  回転規制部材
２０  回転規制部
２０ａ  第１当接部
２０ｂ  第２当接部
２５ａ  取付片
２５ｂ  嵌合穴
３０  回転抑制部
３１  弾性突起部
３２  係止部
３３  係止溝
【図１】
0005967451.tif 000002
【図２】
0005967451.tif 000003
【図３】
0005967451.tif 000004
【図４】
0005967451.tif 000005
【図５】
0005967451.tif 000006
【図６】
0005967451.tif 000007
【図７】
0005967451.tif 000008
【図８】
0005967451.tif 000009
【図９】
0005967451.tif 000010
【図１０】
0005967451.tif 000011
【図１１】
0005967451.tif 000012